(57)【要約】【課題】  スターラー用モータが迅速かつ正確に取り付けられるようにする電子レンジを提供する。【解決手段】  モータの外周面には締結孔を有する第１フランジが設けられ、導波管の外面には、モータが装着されるシート部と、このシート部の一側エッジに設けられ、締結孔を有する締結片と、この締結片に隣接するシート部のエッジに設けられた第１片から上方に突出してモータの取り付け位置を限定するストッパーとを含むモータ装着ユニットが取り付けられる。モータ装着ユニットは、締結片に対向して配置されたシート部の第２片から上方に突出し、スロットを有する案内片をさらに含み、モータには、スロットに結合されて案内されるように第１フランジと対向する側面に設けられた第２フランジが設けられる。【選択図】  図４
2004221059.tif 000002
【特許請求の範囲】
【請求項１】
電装室及び調理室を有するキャビネットと、
前記電装室内に取り付けられ、高周波を発生させるマグネトロンと、
前記マグネトロンからの高周波を前記調理室内に案内する導波管と、
前記導波管の所定位置に装着されるもので、前記高周波を分散させるファン、及び前記ファンを回転させ、少なくとも一つの孔を有するフランジが外周面の所定部位に設けられたモータを含むスターラーと、
前記導波管の外面に設けられるもので、前記フランジの孔に対応する少なくとも一つの孔を有する装着片、及び前記モータの装着位置を限定するストッパーを含むモータ装着ユニットとを含んでなることを特徴とする電子レンジ。
【請求項２】
前記モータ装着ユニットが前記モータを収容するシート部をさらに含み、
前記装着片が前記シート部の一側エッジに設けられ、
前記ストッパーが前記装着片に隣接したシート部のエッジに設けられた第１片から上方に突出することを特徴とする請求項１に記載の電子レンジ。
【請求項３】
前記モータ装着ユニットが前記装着片の反対側のシート部のエッジに設けられた第２片から上方に突出する案内片をさらに含み、前記案内片が縦方向スロットを有し、
前記モータが前記フランジの反対側位置に設けられた案内フランジをさらに含むことを特徴とする請求項１に記載の電子レンジ。
【請求項４】
前記モータが前記フランジと前記案内フランジとの間の位置で前記モータの外周面から外方に突出する端子部をさらに含み、
前記端子部が、前記フランジの孔が前記装着片の孔と一致すると、前記装着ユニットのストッパーにより停止されることを特徴とする請求項３に記載の電子レンジ。
【請求項５】
前記モータの装着位置が、前記端子部が前記ストッパーにより停止されることにより限定されることを特徴とする請求項４に記載の電子レンジ。
【請求項６】
飲食物を収容する調理室と、
飲食物を調理する加熱ユニットと、
少なくとも一つの孔を有するフランジを含み、調理機器を作動させるモータユニットと、
前記フランジの孔に対応する少なくとも一つの孔を有する装着片、及び前記モータユニットの装着位置を限定するストッパーを含むモータ装着ユニットとを含んでなることを特徴とする調理機器。
【請求項７】
前記加熱ユニットが飲食物を調理するための高周波を発生させるマグネトロンを含み、
前記モータユニットが前記調理室に高周波を分散させる調理機器の分散ユニットを作動させることを特徴とする請求項６に記載の調理機器。
【請求項８】
前記調理機器が電子レンジであることを特徴とする請求項７に記載の調理機器。
【請求項９】
前記モータ装着ユニットが前記モータユニットを収容するシート部をさらに含み、
前記装着片が前記シート部の一側エッジに設けられ、
前記ストッパーが前記装着片に隣接した前記シート部の一側エッジから上方に突出することを特徴とする請求項６に記載の調理機器。
【請求項１０】
前記モータ装着ユニットが前記装着片の反対側の前記シート部のエッジから上方に突出する、スロットを有する案内片をさらに含み、
前記モータユニットが、前記スロットに結合されて案内されるように、前記フランジの反対側に設けられた案内フランジをさらに含むことを特徴とする請求項９に記載の調理機器。
【請求項１１】
前記モータユニットが前記フランジと前記案内フランジとの間に位置する端子部をさらに含み、
前記端子部が、前記フランジの孔が前記装着片の孔と一致すると、前記モータ装着ユニットのストッパーにより停止されることを特徴とする請求項１０に記載の調理機器。
【請求項１２】
調理室と、高周波を発生させるマグネトロンと、高周波を前記調理室に案内する導波管とを有する電子レンジにおいて、
高周波を分散させるためのモータを有し、前記高周波に設けられるスターラーと、
前記モータに少なくとも一つの孔を有するフランジと、
前記導波管に設けられるもので、前記フランジの孔に対応する少なくとも一つの孔を備える装着片、及び前記モータの装着位置を限定するストッパーを含むモータ装着ユニットとを含んでなることを特徴とする電子レンジ。
【請求項１３】
前記モータ装着ユニットが前記モータを収容するシート部をさらに含み、
前記装着片が前記シート部の一側エッジに設けられ、
前記ストッパーが前記装着片に隣接した前記シート部の一側エッジから上方に突出することを特徴とする請求項１２に記載の電子レンジ。
【請求項１４】
前記モータ装着ユニットが案内スロットをさらに含み、
前記モータが前記案内スロットに沿って案内される案内フランジをさらに含むことを特徴とする請求項１３に記載の電子レンジ。
【請求項１５】
調理室と、高周波を発生させるマグネトロンと、高周波を前記調理室に案内する導波管と、高周波を分散させるためのモータを有するスターラーとを有する電子レンジ用モータ装着ユニットにおいて、
前記モータに設けられる、少なくとも一つの孔を有するフランジと、
前記導波管に設けられるもので、前記フランジの孔に対応する少なくとも一つの孔を有する装着片、及び前記モータの装着位置を限定するストッパーを含むモータ装着部とを含んでなることを特徴とするモータ装着ユニット。
【請求項１６】
前記モータ装着部が前記モータを収容するシート部をさらに含み、
前記装着片が前記シート部の一側エッジに設けられ、
前記ストッパーが前記装着片に隣接した前記シート部の一側エッジから上方に突出することを特徴とする請求項１５に記載のモータ装着ユニット。
【請求項１７】
前記モータ装着部が、前記装着片の反対側の前記シート部の一側エッジから上方に突出し、スロットを有する案内片をさらに含み、
前記モータが、前記スロットに結合されて案内されるように前記フランジの反対側に設けられた案内フランジをさらに含むことを特徴とする請求項１６に記載のモータ装着ユニット。
【請求項１８】
調理室と、加熱ユニットと、調理機器を作動させるモータとを有する調理機器用モータ装着ユニットにおいて、
前記モータに設けられる、少なくとも一つの孔を有するフランジと、
前記フランジの孔に対応する少なくとも一つの孔を有する装着片、及び前記モータの装着位置を限定するストッパーを含むモータ装着部とを含んでなることを特徴とするモータ装着ユニット。
【請求項１９】
前記モータ装着部が前記モータを収容するシート部をさらに含み、
前記装着片が前記シート部の一側エッジに設けられ、
前記ストッパーが前記装着片に隣接した前記シート部の一側エッジから上方に突出することを特徴とする請求項１８に記載のモータ装着ユニット。
【請求項２０】
前記モータ装着ユニットが案内スロットをさらに含み、
前記モータが前記案内スロットに沿って案内される案内フランジをさらに含むことを特徴とする請求項１８に記載のモータ装着ユニット。
【発明の詳細な説明】
【技術分野】
【０００１】
本発明は電子レンジに係り、より詳しくは調理室に高周波を均一に分散させるための高周波分散装置を構成するスターラー用モータが容易で迅速に取り付けられるようにする電子レンジに関するものである。
【背景技術】
【０００２】
一般に、電子レンジは電装室に設けられたマグネトロンから発生する高周波を用いて、調理室内の飲食物を調理するか或いは暖める機器であって、高周波を調理室の内部に照射して、飲食物に含有された水分の分子配列を反復的に変換させることにより発生する分子間の摩擦熱で飲食物を調理する。かかる電子レンジは、通常調理空間の調理台周囲に配置され調理機能のみを行うタイプと、調理空間の壁面に装着され、高周波による調理機能を行うとともに、その下部に配置されるオーブンレンジから発生する排気ガス、煙、又は飲食物臭いなどを電子レンジの外部へ排出させる排気機能を行う壁掛けタイプとがある。
【０００３】
図１は従来の壁掛け型電子レンジの構造を概略的に示すものである。同図に示すように、従来の壁掛け型電子レンジは、外観をなすキャビネット１０と、該キャビネット１０の内部に画成された調理室１１及び電装室とを含む。
【０００４】
調理室１１及び電装室１２の下部及び後部には、キャビネット１０の下方に配置されたオーブンレンジ（図示せず）から発生する排気ガス、煙、飲食物臭いなどを電子レンジの下部へ排出させるように案内する排気通路１３が設けられ、本体１０の後部上側には、排気通路１３に案内された排気ガス、煙、飲食物臭いなどを吸入して電子レンジの外部へ排出させるため、ファンモータ１４と、該ファンモータ１４の両端に結合された１対の排気ファン１５とが設けられる。前記排気通路１３は調理室１１及び電装室１２から隔離される流路を形成する構造を有する。
【０００５】
電装室１２には、電子レンジを作動させる各種の電装品を冷却させるための冷却ファン１６が設けられる。この冷却ファン１６が駆動されるとき、外部空気が電装室１２の内部に流入できるように、電装室１２の前部上側に前面吸入口１７が設けられる。また、調理室１１及び電装室１２を区画する区画壁１８には、電装室１２内に流入された空気が調理室１１側に流入して調理室を換気させるように、多数の通孔１９が形成され、区画壁１８の対向側の調理室１１の上部壁には、調理室１１の内部空気が排気されるように、多数の通孔（図示せず）が形成される。そして、キャビネット１０の前面上部には、調理室１１を介して排出される空気がキャビネット１０の前方に排気されるように、前面吐出口２０が設けられる。
【０００６】
調理室１１に高周波を照射して調理物を調理するため、電装室１２にはマグネトロン２１などの各種の電装品が設けられ、調理室１１及び電装室１２の天井２２には、マグネトロン２１から発生する高周波を調理室１１に案内する導波管２４が設けられ、調理室１１に連通する導波管２４の出口部にはスターラー３０が設けられる。
【０００７】
前記スターラー３０は、多数のブレードを有するスターラー用ファン３１と、該ファン３１を回転させるためのスターラー用モータ３２とを含んでなる。したがって、前記モータ３２により前記ファン３１が回転し、よって高周波が調理室１１側に多数の方向に分散される。前記ファン３１は導波管２４の内部に配設され、前記モータ３２は導波管２４の外面に設けられ、このモータ３２の軸にファン３１が結合される。
【０００８】
図２はモータ３２を導波管２４に装着するための従来のモータ装着ユニットを示す平面図である。同図に示すように、モータ３２を導波管２４に取り付けるため、導波管２４の外面にはブラケット３５が取り付けられる。
【０００９】
モータ３２の外周面には１対のフランジ３３が対向して突設される。各フランジ３３には、モータ３２をブラケット３５に固定するための複数の締結孔３４が形成される。また、ブラケット３５の両端には、前記締結孔３４に対応する複数の締結孔（図示せず）が形成される。
【００１０】
したがって、モータ３２の各フランジ３３に形成された締結孔３４がブラケット３５の対応締結孔と一致した状態で、これらを貫通するネジ３６を締結すると、モータ３２がブラケット３５に固定される。
【００１１】
しかし、このように構成された従来の電子レンジは、モータ３２のフランジ３３に設けられた締結孔３４をブラケット３５に設けられた締結孔と一致させた後、ネジを締結する固定構造を有するため、モータ３２をネジで結合させるに先立ち、締結孔を一致させる過程が必要である。また、締結孔を一致させた状態であっても、ネジ３６の締結の際、モータ３２が少し動いても締結孔が互いにずれているため、モータ３２を取り付けることが多少面倒で、時間を要する欠点がある。
【発明の開示】
【発明が解決しようとする課題】
【００１２】
したがって、本発明は前述したような従来技術の問題点を解決するためになされたもので、その目的はスターラー用モータを迅速で正確に取り付けることができるようにする電子レンジを提供することにある。
【課題を解決するための手段】
【００１３】
前記のような目的を達成するための本発明は、電装室及び調理室を有するキャビネットと、前記電装室内に取り付けられ、高周波を発生させるマグネトロンと、前記マグネトロンからの高周波を前記調理室内に案内する導波管と、前記導波管の所定位置に装着されるもので、前記高周波を分散させるファン、及び前記ファンを回転させ、少なくとも一つの孔を有するフランジが外周面の所定部位に設けられたモータを含むスターラーと、前記導波管の外面に設けられるもので、前記フランジの孔に対応する少なくとも一つの孔を有する装着片、及び前記モータの装着位置を限定するストッパーを含むモータ装着ユニットとを含んでなる電子レンジを提供する。
【００１４】
前記モータ装着ユニットは前記モータを収容するシート部をさらに含み得る。前記装着片は前記シート部の一側エッジに設けられ、前記ストッパーは前記装着片に隣接したシート部のエッジに設けられた第１片から上方に突出し得る。
【００１５】
前記モータ装着ユニットは前記装着片の反対側のシート部のエッジに設けられた第２片から上方に突出する案内片をさらに含み得、前記案内片は縦方向スロットを有し、前記モータは前記フランジの反対側位置に設けられた案内フランジをさらに含み得る。
【００１６】
前記モータは前記フランジと前記案内フランジとの間の位置で前記モータの外周面から外方に突出する端子部をさらに含み得る。前記端子部は、前記フランジの孔が前記装着片の孔と一致すると、前記装着ユニットのストッパーにより停止され得る。
【発明の効果】
【００１７】
以上のように、本発明による電子レンジは、スターラー用モータが導波管の外面に取り付けられたモータ装着ユニットのストッパーと案内片により簡便に所定の設置位置に合わせてからネジで結合される構造を有するため、モータをモータ装着ユニットに迅速に取り付けることができる。
【発明を実施するための最良の形態】
【００１８】
以下、添付図面に基づいて本発明の好ましい実施例を詳細に説明する。
図３は本発明による壁掛け型電子レンジの斜視図である。同図に示すように、本発明による壁掛け型電子レンジは、後面板５１、両側面板５２、上面板５３及び底面板５４を含んで箱状になったキャビネット５０により外観をなす。前記キャビネット５０の内部には、調理室５８と電装室５９が画成されている。
【００１９】
底面板５４の両側には、ガスオーブン（図示せず）から発生する排気ガス、飲食物臭いなどがキャビネット５０に流入されるように、吸入口６１が設けられ、キャビネット５０の上部には、キャビネット５０の内部に流入した排気ガスを電子レンジの外部へ排出させるための排出口６２が設けられる。
【００２０】
前記吸入口６１及び前記排出口６２は、調理室５８及び電装室５９の後部及び上部と、後面板５１及び上面板５３との間に形成された排気通路６３に連通しているので、吸入口６１に流入した排気ガス及び飲食物臭いは排気通路６３を通じて排出口６２から排出できる。
【００２１】
前記排出口６２には、排気ガス及び飲食物臭いを吸入するため、一つのファンモータ６４と、該ファンモータ６４の両端に結合された１対の排気ファン６５が配設される。
【００２２】
調理室５８と電装室５９は区画壁６６により区画され、電装室５９には高周波を発生させるためのマグネトロン６７のような電装品が設けられる。また、マグネトロン６７から照射される高周波を調理室５８に案内するため、調理室５８及び電装室５９の天井には導波管６９が取り付けられる。
【００２３】
前記導波管６９の出口は、調理室５８に高周波が照射されるように、調理室５８の上面に配置される。前記導波管６９の出口には、高周波が調理室５８の全体空間に均一に分散されるように、スターラー７０が取り付けられている。
【００２４】
前記スターラー７０は、高周波を分散させるため、導波管６９の内部に配設されるスターラー用ファン７１と、前記ファン７１を回転させるため、導波管６９の外面に配設されるスターラー用モータ８０とを含んでなる。前記モータ８０は導波管６９の外面に取り付けられたモータ装着ユニット９０に固定される。以下、モータ８０が前記モータ装着ユニット９０に結合される過程について図４ないし図６に基づいて説明する。
【００２５】
図４はモータ８０と、該モータ８０を固定するための本発明によるモータ装着ユニット９０を示すものである。同図に示すように、モータ８０は、例えば略環状の本体８１と、該本体８１の両側から外側に突設された第１フランジ８２及び第２フランジ８３と、前記第１フランジ８２と前記第２フランジ８３との間の本体８１から前方に少し突設された端子部８４とから外観をなす。前記第１フランジ８２には複数の締結孔８５が形成される。
【００２６】
前記モータ８０は、本体８１の下面の偏心部から突出する、例えば断面矩形の回転軸８６を有する。前記回転軸８６は導波管６９の内部に配設されたファン７１の上端部に結合される。この際、前記回転軸８６は対応矩形孔を有する軸収容部７２に挿着されて、ファン７１を回転させる。
【００２７】
このように構成される、モータ８０を装着するためのモータ装着ユニット９０は、モータ８０の本体８１を収容するための、例えば略正方形のシート部９１と、前記シート部９１の一側から外方に水平に延長される装着片９２と、前記装着片９２と隣接したシート部９１の側面から外方に延長される第１片９３と、前記装着片９２に対向するシート部９１の側面から外方に延長される第２片９４とを含む。
【００２８】
前記装着片９２には、モータ８０の第１フランジ８２に形成された複数の締結孔８５に対応する複数の締結孔９５が形成され、前記装着片９２から相対的に離れている第１片９３の一端には、前記締結孔８５、９５が一致した状態でモータ８０がモータ装着ユニット９０に配置されるように、設置位置を限定するストッパー９６が上向きに突出している。
【００２９】
前記第２片９４の端部には、前記シート部９１の辺に沿って上向きに突出する案内片９７が一体的に設けられ、この案内片９７の下端には前記シート部９１の辺に沿ってスロット９８が長く形成される。
【００３０】
このように構成されるモータ装着ユニット９０にモータ８０を装着する過程を図５及び図６に基づいて説明する。
【００３１】
図５に示すように、モータ８０がモータ装着ユニット９０に固定される初期段階においては、モータ８０の本体８１がモータ固定部９０のシート部９１に載せられた状態で、モータ８０の第１フランジ８２は装着片９２の締結孔９５の右側に位置し、モータ８０の端子部８４はストッパー９６の前方に位置し、モータ８０の第２フランジ８３は案内片９７に設けられたスロット９８の内部の左側に位置する。
【００３２】
このように配置された状態で、モータ８０を図５の矢印方向に回動させると、端子部８４がストッパー９６に係止されるまで第２フランジ８３がスロット９８に沿って移動する。
【００３３】
図６に示すように、端子部８４がストッパー９６に係止されると、第１フランジ８２の締結孔８５が装着片９２の対応締結孔９５と一致し、こうして締結孔８５、９５が整合した状態で、複数の締結孔のいずれか一つの締結孔を通じてネジ９９を締結すると、モータ８０は簡単かつ迅速にモータ装着ユニット９０に結合される。
【００３４】
前記のように、本発明によるモータ装着ユニット９０により、モータ８０が一つのネジで簡便に固定できるので、装着作業が簡便に行えることになる。
【００３５】
本実施例では、モータ装着ユニットを、スターラー用モータを装着するためのものとして説明したが、これに限ることなく、ターンテーブルを回転させるためのモータなどのような類似モータを固定するためのモータ装着ユニットにも適用することができる。
【図面の簡単な説明】
【００３６】
【図１】従来技術による電子レンジの斜視図である。
【図２】図１に示すスターラー用モータの結合構造を示す平面図である。
【図３】本発明による電子レンジの斜視図である。
【図４】図３に示すスターラー用モータを装着するための本発明によるモータ装着ユニットを示す斜視図である。
【図５】図４に示すモータ装着ユニットに結合される初期段階を示す平面図である。
【図６】図４に示すモータ装着ユニットに完全に結合された最終段階を示す平面図である。
【符号の説明】
【００３７】
６９  導波管
７０  スターラー
７１  ファン
８０  モータ
８２  第１フランジ
８３  第２フランジ
８４  端子部
８５、９５  締結孔
９０  モータ装着ユニット
９２  締結片
９６  ストッパー
９７  案内片
９８  スロット
【図１】
2004221059.tif 000003
【図２】
2004221059.tif 000004
【図３】
2004221059.tif 000005
【図４】
2004221059.tif 000006
【図５】
2004221059.tif 000007
【図６】
2004221059.tif 000008